(57)【要約】      （修正有）【課題】デザイン性および着用快適性に優れ、指を開きやすくすることで外反母趾対策にも適しており、パンプス用靴下として特に好適に用いることのできる靴下を提供する。【解決手段】靴下において、つま先部１を、親指を挿入可能な袋部２と親指以外の４本の指を挿入可能な袋部３を有する内層部、および該内層部を被覆する外層部の２重構造とする。また、靴下の側部４に弾性部材と、靴下のかかと部６内側に、滑り止め用の樹脂５が付着している。さらに、靴下の底部に、足裏を刺激するための複数の突起８を有し、靴下の表面に柄または模様を有する。【選択図】図１
0003183109.tif 000002
【実用新案登録請求の範囲】
【請求項１】
つま先部１およびかかと部６を連結し、かつ足の甲を露出させることが可能な靴下であって、つま先部１が、親指を挿入可能な袋部２と親指以外の４本の指を挿入可能な袋部３を有する内層部、および該内層部を被覆する外層部の２重構造を有することを特徴とする靴下。
【請求項２】
前記内層部がポリ塩化ビニル繊維で構成される、請求項１に記載の靴下。
【請求項３】
靴下の側部４に弾性部材が配されてなる、請求項１または請求項２に記載の靴下。
【請求項４】
靴下のかかと部６内側に、滑り止め用の樹脂５が付着している、請求項１〜３のいずれかに記載の靴下。
【請求項５】
靴下の底部に、足裏を刺激するための複数の突起８を有する、請求項１〜４のいずれかに記載の靴下。
【請求項６】
靴下の表面に柄または模様を有する、請求項１〜５のいずれかに記載の靴下。
【請求項７】
靴下に抗菌糸が含まれる、請求項１〜６のいずれかに記載の靴下。
【請求項８】
靴下がパンプス用靴下である、請求項１〜７のいずれかに記載の靴下。
【請求項９】
靴下が外反母趾対策用靴下である、請求項１〜８のいずれかに記載の靴下。
【考案の詳細な説明】
【技術分野】
【０００１】
本考案は、デザイン性および着用快適性に優れる靴下に関する。
【背景技術】
【０００２】
従来、靴下として、健康増進を狙ったもの、デザイン性に優れたものなど種々のものが提案されている（例えば、特許文献１、特許文献２、特許文献３参照）。
一方、女性がパンプスを履く際に着用するパンプス用靴下としては、パンプスからはみ出さないように、小さく薄いものが主流である。また、かかるパンプス用靴下において、デザイン性および着用快適性が求められている。
しかしながら、パンプス用靴下は小さく薄い靴下であるために、指を開きやすくしたり、足裏を刺激したりする機能を付与することには限界があり、これを満足するものはこれまであまり提案されていない。
【先行技術文献】
【特許文献】
【０００３】
【特許文献１】登録実用新案第３０３３１９１号公報
【特許文献２】特開２０１０−１５６０７８号公報
【特許文献３】特開平７−３２４２０２号公報
【考案の概要】
【考案が解決しようとする課題】
【０００４】
本考案は、上記の背景に鑑みなされたものであり、その目的は、デザイン性および着用快適性に優れ、パンプス用靴下として特に好適に用いることのできる靴下を提供することにある。
【課題を解決するための手段】
【０００５】
本考案者は、上記目的を達成するため鋭意検討した結果、つま先部において、親指を挿入可能な袋部と親指以外の４本の指を挿入可能な袋部とで内層部を構成し、前記袋部が外から見えないように外層部を構成することにより、デザイン性および着用快適性に優れ、パンプス用靴下として特に好適に用いることのできる靴下が得られることを見出し、さらに鋭意検討を重ねることにより本考案に想到した。
【０００６】
かくして、本考案によれば「つま先部１およびかかと部６を連結し、かつ足の甲を露出させることが可能な靴下であって、つま先部１が、親指を挿入可能な袋部２と親指以外の４本の指を挿入可能な袋部３を有する内層部、および該内層部を被覆する外層部の２重構造を有することを特徴とする靴下。」が提供される。
【０００７】
その際、前記内層部がポリ塩化ビニル繊維で構成されることが好ましい。また、靴下の側部４に弾性部材が配されていることが好ましい。また、靴下のかかと部６内側に、滑り止め用の樹脂５が付着していることが好ましい。また、靴下の底部に、足裏を刺激するための複数の突起８を有することが好ましい。また、靴下の表面に柄または模様を有することが好ましい。また、靴下に抗菌糸が含まれることが好ましい。また、靴下がパンプス用靴下であることが好ましい。また、靴下が外反母趾対策用靴下であることが好ましい。
【考案の効果】
【０００８】
本考案によれば、デザイン性および着用快適性に優れ、外反母趾対策にも適しており、パンプス用靴下として特に好適に用いることのできる靴下が得られる。
【図面の簡単な説明】
【０００９】
【図１】本考案の靴下の一例を模式的に示す図である。なお、親指を挿入可能な袋部２、親指以外の４本の指を挿入可能な袋部３、滑り止め用の樹脂５は外部からは見えないので破線で示している。
【考案を実施するための形態】
【００１０】
以下、本考案の実施の形態について図を用いて詳細に説明する。本考案の靴下は、つま先部１およびかかと部６を連結し、かつ足の甲を露出させることが可能な靴下であり、つま先部１は、図１に示すように内層部および外層部の２重構造を有する。
前記内層部は親指を挿入可能な袋部２と親指以外の４本の指を挿入可能な袋部３を有する。親指と親指以外の４本の指とを別々の袋部に挿入することにより指の開きが助けられ、着用快適性が向上し、また、外反母趾対策としても適している。
一方、前記外層部は前記内層部（すなわち、親指を挿入可能な袋部２と親指以外の４本の指を挿入可能な袋部３）を被覆しており、親指を挿入可能な袋部２と親指以外の４本の指を挿入可能な袋部３が外から見えないのでデザイン性が向上する。
【００１１】
本考案の靴下において、側部４に弾性部材が配されていることが好ましい。側部４に弾性部材が配されていると、靴下を着用した際に、引き伸ばされた弾性部材の復元力と前記内層部との相乗作用により、指が開きやすくなるので外反母趾対策にも好ましい。
なお、かかる弾性部材としては、帯状の伸縮性生地（テーピング加工とも称される。）が好ましい。
【００１２】
また、本考案の靴下において、靴下のかかと部内側に、滑り止め用の樹脂５が付着していると、靴下のかかと部が脱げにくくなり好ましい。
前記樹脂５の材質としては、皮膚との摩擦を大きくする上で、ポリ塩化ビニル樹脂、ゴムなどが例示される。かかる樹脂５として単繊維径が１０００ｎｍ以下のナノファイバーとも称される超極細繊維からなる布帛を用いてもよい。
前記樹脂５の形状、大きさ、個数は特に限定されず、例えば、直線状、曲線状、円形などの形状で１か所あたり１〜５ｍｍ×５〜３０ｍｍ程度の大きさで、１〜２０か所程度配することが好ましい。
【００１３】
また、靴下の底部に、足裏を刺激するための複数の突起８を有すると、着用者の疲れが軽減され着用快適性がさらに向上し好ましい。
前記突起８の材質としては、発泡剤を含有したポリ塩化ビニル樹脂、ゴムなどが例示される。かかる突起８の形状、大きさ、個数は特に限定されず、例えば、直線状、曲線状、円形などの形状で１か所あたり１〜１０ｍｍ×１〜１０ｍｍ程度の大きさで、１〜３０か所程度配することが好ましい。
【００１４】
また、本考案の靴下において、おしゃれ感を出しデザイン性をさらに向上させるために、靴下表面に柄（例えば、ハート型、星形、動物、記号、数字など）、模様（格子、市松など）、刺繍などを配することは好ましい。
【００１５】
本考案の靴下において、用いる繊維の種類は特に限定されず、ポリエステル繊維（例えば、ポリエチレンテレフタレート繊維、ポリトリメチレンテレフタレート繊維など）、ナイロン繊維、アクリル繊維、ポリ塩化ビニル繊維、ポリウレタン繊維、ポリエーテルエステル繊維などの合成繊維、綿繊維、絹繊維、ウール繊維などの天然繊維、これらの複合糸や混紡糸などいずれでもよい。
【００１６】
例えば、靴下に伸縮性を付与するために、ポリウレタン繊維やポリエーテルエステル繊維などの弾性繊維に綿繊維や合成繊維をカバリングした伸縮糸が好ましい。また、ポリ塩化ビニル繊維（市販のものでは「テビロン」（登録商標）が知られている。）は保温性に優れるので、例えば、つま先部１の内層部をポリ塩化ビニル繊維で構成すると、着用者のつま先があたためられ好ましい。
また、抗菌糸を用いると靴下に抗菌性が付加され好ましい。その際、かかる抗菌糸としては、例えば、抗菌剤含有アクリル繊維と綿との混紡糸などが例示される。
【００１７】
本考案の靴下を構成する生地の組織としては、織物組織でもよいが、靴下に伸縮性を付与する上で編物組織が好ましい。
前記生地には、通常の染色加工、減量加工、起毛加工、撥水加工、蓄熱加工、吸汗加工、静電防止加工、抗菌加工などの後加工を適宜施しても良い。
【００１８】
本考案の靴下において、外反母趾の予防効果を向上させる上で、着用者の足のサイズよりも小さめのサイズ（例えば幅５〜１０ｃｍ、長さ１５〜２５ｃｍ）とし、靴下を引き伸ばした状態で着用することが好ましい。
【００１９】
本考案の靴下は、つま先部１が、親指を挿入可能な袋部２と親指以外の４本の指を挿入可能な袋部３を有する内層部、および該内層部を被覆する外層部の２重構造を有するので、デザイン性および着用快適性に優れ、パンプス用靴下として特に好適に用いることができる。また、外反母趾対策用靴下としても用いることができる。
【実施例】
【００２０】
以下、実施例をあげて本考案を詳細に説明するが、本考案はこれらによって何ら限定されるものではない。
【００２１】
［実施例１］
図１に示すような、つま先部１およびかかと部６を連結し、かつ足の甲を露出させることが可能な靴下であり、つま先部１が、親指を挿入可能な袋部２と親指以外の４本の指を挿入可能な袋部３を有する内層部、および該内層部を被覆する外層部の２重構造を有する靴下（幅８ｃｍ、長さ１７ｃｍ）を得た。
その際、前記内層部はポリ塩化ビニル繊維からなる編物（白色）で構成した。また、それ以外は、アクリル繊維と綿の混紡糸およびポリウレタン繊維に綿繊維をカバリングした伸縮糸からなる編物（黒色）で構成した。なお、靴下の左右側部４には幅１ｃｍ長さ１０ｃｍの弾性部材（アクリル繊維と綿からなる混紡糸、およびナイロン繊維からなるテーピング加工）を配した。
【００２２】
また、靴下のかかと部６内側に、滑り止め用のポリ塩化ビニル樹脂からなる樹脂５として、幅２ｍｍ、長さ１５ｍｍの曲線状のものを９か所、配した。
また、靴下の底部に、足裏を刺激するための突起８として、発泡剤を含有したポリ塩化ビニル樹脂からなる円形状突起（直径５ｍｍ、高さ２ｍｍ）を１４か所、配した。
また、つま先部１の外表面にハート状の柄を１２か所、配した。
得られた靴下は、デザイン性および着用快適性に優れ、外反母趾対策にも適しており、パンプス用靴下として特に好適に用いることのできるものであった。
【産業上の利用可能性】
【００２３】
本考案によれば、デザイン性および着用快適性に優れ、指を開きやすくすることで外反母趾対策にも適しており、パンプス用靴下として特に好適に用いることのできる靴下が提供され、その工業的価値は極めて大である。
【符号の説明】
【００２４】
１：つま先部
２：親指を挿入可能な袋部
３：親指以外の４本の指を挿入可能な袋部
４：側部
５：滑り止め用の樹脂
６：かかと部
７：底部
８：足裏を刺激するための突起
【図１】
0003183109.tif 000003